(57)【要約】【課題】画像データの送受信に係る煩雑な作業を軽減し、画像データのセキュリティ性を高めること。【解決手段】画像データを含む印刷データに基づいて画像を形成するプリンタ部１７１と、端末装置２０と人体を介して通信を行う人体通信部１５４と、人体通信部により端末装置から印刷データを取得し、当該取得した印刷データに基づいてプリンタ部により画像を用紙に形成させる制御を行う制御部１００と、を備える画像形成装置１０。【選択図】図４
2012151775.tif 000002
【特許請求の範囲】
【請求項１】
画像データを含む印刷データに基づいて画像を形成する画像形成部と、
端末装置と人体を介して通信を行う人体通信部と、
前記人体通信部により前記端末装置から前記印刷データを取得し、当該取得した印刷データに基づいて前記画像形成部により画像を用紙に形成させる制御を行う制御部と、
を備える画像形成装置。
【請求項２】
原稿を読み取って画像データを取得する画像読取部と、
端末装置と人体を介して通信を行う人体通信部と、
前記画像読取部により取得された前記画像データを前記人体通信部により前記端末装置へ送信する制御を行う制御部と、
を備える画像形成装置。
【請求項３】
前記制御部は、
前記人体通信部により前記印刷データを取得した場合、
前記印刷データ全ての受信を完了した後に、当該印刷データに対して描画処理を施し、当該描画処理済みの印刷データに基づいて前記画像形成部により画像を形成させること、
を特徴とする請求項１に記載の画像形成装置。
【請求項４】
前記制御部は、
前記人体通信部による通信エラーの発生を検出し、
前記人体通信部による通信エラーが発生した場合、前記人体通信部に対して端末装置との通信を再確立させ、再確立できた場合には、前記通信エラーが発生する前の状態から継続して通信を実行させること、
を特徴とする請求項１から３のいずれか一項に記載の画像形成装置。
【請求項５】
前記通信エラーが検出された場合、前記通信エラーが発生したことを示す情報を表示するエラー表示部を備えること、
を特徴とする請求項４に記載の画像形成装置。
【請求項６】
前記人体通信部による通信を再確立するために必要な指示に関する情報を表示する再確立表示部を備えること、
を特徴とする請求項４又は５に記載の画像形成装置。
【請求項７】
ユーザによる操作によって操作指示が入力され、当該ユーザに対して対向する位置に設けられた操作パネルを有する操作表示部を備え、
前記人体通信部は、
前記操作パネルと前記ユーザとを結ぶ方向と直交する方向における前記操作パネルの両端部の位置に、前記ユーザの人体と接する電極を有し、
前記電極が前記ユーザの人体と接している状態のときに、電界又は電流を用いて当該ユーザの人体を介して通信を行うこと、
を特徴とする請求項１から６のいずれか一項に記載の画像形成装置。
【請求項８】
前記電極は、
押しボタンスイッチの一部を構成しており、
当該押しボタンスイッチが押下された状態のときに前記電極が前記ユーザと接する状態となること、
を特徴とする請求項７に記載の画像形成装置。
【請求項９】
画像データを含む印刷データを記憶する記憶部、
人体を介して通信を行う第１人体通信部、
を有する端末装置と、
前記印刷データに基づいて画像を形成する画像形成部、
前記端末装置と人体を介して通信を行う第２人体通信部、
前記第２人体通信部により前記端末装置から前記印刷データを取得し、当該取得した印刷データに基づいて前記画像形成部により画像を用紙に形成させる制御を行う制御部、
を有する画像形成装置と、
を備える画像形成システム。
【請求項１０】
人体を介して通信を行う第１人体通信部を有する端末装置と、
原稿を読み取って画像データを取得する画像読取部、
前記端末装置と人体を介して通信を行う第２人体通信部、
前記画像読取部により取得された前記画像データを前記第２人体通信部により前記端末装置へ送信する制御を行う制御部、
を有する画像形成装置と、
を備える画像形成システム。
【発明の詳細な説明】
【技術分野】
【０００１】
本発明は、画像形成装置及び画像形成システムに関する。
【背景技術】
【０００２】
近年、人体を通信媒体としてデータ通信を行う通信システムの開発が進んでいる。
人体に電界を付与することにより人体通信を行う電界方式の通信システムとして、例えば、送信すべきデータに対応した信号により変調された電界を人体に付与する送信機と、人体に発生した電界の変化を測定することによってデータを受信する受信機、とを備えた通信システムが開示されている（特許文献１参照）。
【０００３】
また、人体に電流を流すことにより人体通信を行う電流方式の通信システムとして、例えば、人体に接する２つの送信電極、交流信号を生成する発信部、変調部、２つの送信電極間に電圧を印加する電圧印加部を備えるデータ送信装置と、データ送信装置を装着した人体の一部が接する受信電極、２つの送信電極間に流れる電流を検出する電流検出部、回路グランド、復調部を備えるデータ受信装置と、から構成されるものが開示されている（特許文献２参照）。
【０００４】
このような人体通信は、有線又は無線通信と比べて、装置間をケーブル等によって直接的に接続したり、無線接続するための各種設定をしたりする手間が不要である。また、セキュリティの観点からも、有線又は無線通信では、通信データが漏洩するおそれがあるのに対し、人体通信では、人体の表面から外にデータが漏洩しないことから有益であることが知られている。
【０００５】
この人体通信の特徴を応用した技術として、携帯型音楽再生装置とヘッドフォン・スピーカとの間において、電界方式の人体通信を用いて音声データの伝送を行う通信システムが開示されている（特許文献３参照）。
【０００６】
また、画像データに基づく画像を形成する画像形成装置の分野では、人体を介して通信を行う人体通信部及び人体を介さずに通信を行うデータ通信部を備えた通信機器と、当該通信機器と同様の通信機器を備えた印刷装置と、から構成されるシステムにおいて、通信機器の人体通信部及び印刷装置の人体通信部に人体が触れた場合、通信機器は、人体通信部により印刷装置の機器識別情報を取得し、当該取得した機器識別情報で識別される印刷装置へデータ通信部により画像データを送信する、技術が開示されている（特許文献４参照）。
【先行技術文献】
【特許文献】
【０００７】
【特許文献１】特開２００１−２９８４２５号公報
【特許文献２】特開２００１−７７７３５号公報
【特許文献３】特開２００６−３０３７３６号公報
【特許文献４】特開２００４−２６０８００号公報
【発明の概要】
【発明が解決しようとする課題】
【０００８】
しかしながら、特許文献４の印刷装置のシステムでは、人体を介して通信を行う人体通信部と、人体を介さずに通信を行うデータ通信部との２つの通信部を備える必要があり、装置の大型化及びコストアップは免れない。また、画像データはデータ通信部により送信されるため、ケーブル接続や無線接続設定等の煩雑な作業は残存し、画像データの漏洩の可能性も払拭できない。
【０００９】
本発明の課題は、上記問題に鑑みて、画像データの送受信に係る煩雑な作業を軽減し、画像データのセキュリティ性を高めることである。
【課題を解決するための手段】
【００１０】
請求項１に記載の発明は、画像データを含む印刷データに基づいて画像を形成する画像形成部と、端末装置と人体を介して通信を行う人体通信部と、前記人体通信部により前記端末装置から前記印刷データを取得し、当該取得した印刷データに基づいて前記画像形成部により画像を用紙に形成させる制御を行う制御部と、を備える画像形成装置である。
【００１１】
請求項２に記載の発明は、原稿を読み取って画像データを取得する画像読取部と、端末装置と人体を介して通信を行う人体通信部と、前記画像読取部により取得された前記画像データを前記人体通信部により前記端末装置へ送信する制御を行う制御部と、を備える画像形成装置である。
【００１２】
請求項３に記載の発明は、請求項１に記載の画像形成装置において、前記制御部は、前記人体通信部により前記印刷データを取得した場合、前記印刷データ全ての受信を完了した後に、当該印刷データに対して描画処理を施し、当該描画処理済みの印刷データに基づいて前記画像形成部により画像を形成させること、を特徴とする。
【００１３】
請求項４に記載の発明は、請求項１から３のいずれか一項に記載の画像形成装置において、前記制御部は、前記人体通信部による通信エラーの発生を検出し、前記人体通信部による通信エラーが発生した場合、前記人体通信部に対して端末装置との通信を再確立させ、再確立できた場合には、前記通信エラーが発生する前の状態から継続して通信を実行させること、を特徴とする。
【００１４】
請求項５に記載の発明は、請求項４に記載の画像形成装置において、前記通信エラーが検出された場合、前記通信エラーが発生したことを示す情報を表示するエラー表示部を備えること、を特徴とする。
【００１５】
請求項６に記載の発明は、請求項４又は５に記載の画像形成装置において、前記人体通信部による通信を再確立するために必要な指示に関する情報を表示する再確立表示部を備えること、を特徴とする。
【００１６】
請求項７に記載の発明は、請求項１から６のいずれか一項に記載の画像形成装置において、ユーザによる操作によって操作指示が入力され、当該ユーザに対して対向する位置に設けられた操作パネルを有する操作表示部を備え、前記人体通信部は、前記操作パネルと前記ユーザとを結ぶ方向と直交する方向における前記操作パネルの両端部の位置に、前記ユーザの人体と接する電極を有し、前記電極が前記ユーザの人体と接している状態のときに、電界又は電流を用いて当該ユーザの人体を介して通信を行うこと、を特徴とする。
【００１７】
請求項８に記載の発明は、請求項７に記載の画像形成装置において、前記電極は、押しボタンスイッチの一部を構成しており、当該押しボタンスイッチが押下された状態のときに前記電極が前記ユーザと接する状態となること、を特徴とする。
【００１８】
請求項９に記載の発明は、画像データを含む印刷データを記憶する記憶部、人体を介して通信を行う第１人体通信部、を有する端末装置と、前記印刷データに基づいて画像を形成する画像形成部、前記端末装置と人体を介して通信を行う第２人体通信部、前記第２人体通信部により前記端末装置から前記印刷データを取得し、当該取得した印刷データに基づいて前記画像形成部により画像を用紙に形成させる制御を行う制御部、を有する画像形成装置と、を備える画像形成システムである。
【００１９】
請求項１０に記載の発明は、人体を介して通信を行う第１人体通信部を有する端末装置と、原稿を読み取って画像データを取得する画像読取部、前記端末装置と人体を介して通信を行う第２人体通信部、前記画像読取部により取得された前記画像データを前記第２人体通信部により前記端末装置へ送信する制御を行う制御部、を有する画像形成装置と、を備える画像形成システムである。
【発明の効果】
【００２０】
本発明によれば、画像データの送受信に係る煩雑な作業が不要となり、また、画像データの漏洩を防止できセキュリティ性を高めることができる。
【図面の簡単な説明】
【００２１】
【図１】画像形成システムの概略構成図である。
【図２】操作パネルの概観の一例を示す図である。
【図３】画像形成装置がプリント処理を実行する際の端末装置が実行する人体通信処理のフローチャートである。
【図４】画像形成装置が実行するプリント処理のフローチャートである。
【図５】通信エラー確認処理のフローチャートである。
【図６】画像形成装置が選択プリント処理を実行する際の端末装置が実行する人体通信処理のフローチャートである。
【図７】画像形成装置が実行する選択プリント処理のフローチャートである。
【図８】画像形成装置が実行する選択プリント処理のフローチャートである（図７の続き）。
【図９】画像読取処理のフローチャートである。
【図１０】画像形成装置が人体通信画像送信処理を実行する際の端末装置が実行する人体通信処理のフローチャートである。
【図１１】画像形成装置が実行する人体通信画像送信処理のフローチャートである。
【発明を実施するための形態】
【００２２】
以下、図を参照して本発明の実施の形態を詳細に説明する。
まず、構成を説明する。
図１に、本実施の形態における画像形成システムの概略構成図を示す。
図１に示すように、画像形成システム１は、画像形成装置１０と端末装置２０とがユーザ３０の人体を介する人体通信により接続される構成である。
【００２３】
画像形成装置１０は、複数の機能を有するＭＦＰ（Multi Functional Printer）である。画像形成装置１０は、制御部１００、記憶部１１０、描画処理部１２０、操作表示制御部１３０、人体通信制御部１４０、操作表示部１５０、スキャナ制御部１６０、スキャナ部１６１、プリンタ制御部１７０、プリンタ部１７１、通信部１８０等を備え、各部は制御部１００によって統括的に制御されている。
【００２４】
制御部１００は、ＣＰＵ（Central Processing Unit）、ＲＯＭ（Read Only Memory）、ＲＡＭ（Random Access Memory）等から構成され、ＲＯＭ又は記憶部１１０に格納されているシステムプログラム及び各種アプリケーションプログラム、各種データの中から指定されたプログラムやデータを読み出してＲＡＭに展開し、ＲＡＭに展開されたプログラムとの協働で、各種処理を実行し、画像形成装置１０の各部を集中制御する。
例えば、制御部１００は、操作表示部１５０や通信部１８０を介して接続された外部装置４０から入力される指示信号に従って、コピーモード、プリンタモード、スキャナモードを切り替え、各モードの制御を行う。
【００２５】
また、制御部１００は、記憶部１１０から本実施の形態に係るプリント処理プログラム、選択プリント処理プログラム、人体通信画像送信処理プログラム、当該プログラム及び各種データとの協働により、プリント処理、選択プリント処理、人体通信画像送信処理を実行する。
【００２６】
プリント処理では、通信部１８０により受信した印刷データ、又は、人体通信部１５４により端末装置２０から受信した印刷データが取得され、取得された印刷データに基づいてプリンタ部１７１により画像形成処理が実行され、画像が用紙に形成される。
選択プリント処理プログラムでは、端末装置２０内に記憶されている１又は複数の印刷データのうち、いずれかが選択され、当該選択された印刷データが人体通信部１５４を介して取得され、取得された印刷データに基づいてプリンタ部１７１により画像形成処理が実行され、画像が用紙に形成される。
人体通信画像送信処理プログラムでは、スキャナ部１６１により取得された画像データが人体通信部１５４により端末装置２０へ送信される。
【００２７】
印刷データは、ＰＤＬ（Page Description Language）形式やＴｉｆｆ形式等のページ記述言語形式の画像データ、及び、当該画像データに対する各種出力指示が設定されたプリント設定データを含む。
【００２８】
記憶部１１０は、ＨＤＤ（Hard Disk Drive）等の書き込み可能な不揮発性の記憶媒体で構成されている。記憶部１１０は、画像形成に係る各種処理プログラム及び各種データの他、本実施の形態に係るプリント処理プログラム、選択プリント処理プログラム、人体通信画像送信処理プログラムと、これらの処理プログラムの実行に用いられるデータ等を記憶している。
【００２９】
描画処理部１２０は、ページ記述言語形式の画像データに対して描画処理を施し、ビットマップ形式等の描画形式の画像データを生成する。
【００３０】
操作表示制御部１３０は、制御部１００からの指示に従って、操作表示部１５０内の操作パネル１５０ａの動作を統括的に制御する。例えば、制御部１００から入力される表示信号に従って、各種設定条件を入力するための各種設定画面や各種処理結果等を表示部１５１に表示したり、ユーザが操作部１５２や人体通信スイッチ１５３を操作することにより受け付けられる操作指示の信号を制御部１００に出力したりする。
【００３１】
人体通信制御部１４０は、制御部１００からの指示に従って、人体通信部１５４の動作を制御する。
【００３２】
操作表示部１５０は、ユーザ３０に対して対向する位置に設けられた操作パネル１５０ａと、人体通信部１５４と、を備える。
【００３３】
図２（ａ）、図２（ｂ）に、操作パネル１５０ａの概観図の一例を示す。
図２（ａ）は、操作パネル１５０ａの両端部に人体通信部１５４の構成の一部である電極１５４ａ、１５４ｂが設けられた場合の例、図２（ｂ）は、操作パネル１５０ａ内の両端部分に人体通信スイッチ１５３ａ、１５３ｂが設けられた場合の例、を示す。
【００３４】
図２（ａ）、図２（ｂ）に示すように、操作パネル１５０ａは、ＬＣＤ（Liquid Crystal Display）等の表示部１５１、当該表示部１５１を覆うように設けられたタッチパネル１５２ａや各種操作キー１５２ｂ等から構成される操作部１５２等から構成されている。
【００３５】
図２（ａ）に示す操作パネル１５０ａには、操作パネル１５０ａとユーザ３０とが対向する方向と直交する方向Ｘにおける操作パネル１５０ａの両端部の位置に、ユーザの人体と接する電極１５４ａ、１５４ｂが設けられている。なお、電極１５４ａ、１５４ｂは、電気的に接続されている。
【００３６】
図２（ｂ）に示す操作パネル１５０ａには、操作パネル１５０ａとユーザとを結ぶ方向と直交する方向Ｘにおける操作パネル１５０ａ内の両端部の位置に、人体通信スイッチ１５３ａ、１５３ｂが設けられている。
人体通信スイッチ１５３ａ、１５３ｂは、人体通信部１５４の構成の一部である電極と一体的に構成された押しボタンスイッチであり、当該人体通信スイッチ１５３ａ、１５３ｂのうち少なくともいずれか一方が押下された状態のときに電極がユーザと接する状態となる。
本実施の形態では、図２（ｂ）に示す操作パネル１５０ａを備えた操作表示部１５０として以下説明する。
【００３７】
人体通信部１５４は、人体通信制御部１４０により制御され、ユーザ３０の人体を通信媒体として用いて端末装置２０と人体通信を行う。
人体通信部１５４における通信方式としては、電界方式又は電流方式を用いることができ、人体通信部１５４は、通信媒体である人体に電界（電波）を伝搬させるため又は電流を伝送するための電極（例えば、図２（ｂ）の人体通信スイッチ１５３ａ、１５３ｂの一部を構成する電極）を備えている。
【００３８】
スキャナ制御部１６０は、制御部１００からの指示に従って、スキャナ部１６１を制御して、原稿の画像を読み取らせる。
【００３９】
スキャナ部１６１は、ＡＤＦ（Auto Document Feeder）と称される自動原稿送り部と読取部とを備え、操作パネル１５０ａにより受け付けられた設定情報に基づいて原稿の画像を読み取り、読み取った画像の画像データを生成する画像読取部の機能を実現する。
ここで、画像とは、図形や写真等の画像データに限らず、文字や記号等のテキストデータ等も含む意である。
【００４０】
プリンタ制御部１７０は、制御部１００からの指示に従って、プリンタ部１７１内の各部の動作を制御し、画像データに基づいて画像形成処理を行わせる。
【００４１】
プリンタ部１７１は、画像データを含む印刷データに基づいて画像を形成する画像形成処理を行うものであり画像形成部としての機能を実現する。プリンタ部１７１は、給紙部、用紙搬送部、画像形成部、定着部等のプリント出力に係る各部を備えて構成される。なお、プリンタ部１７１は、電子写真方式、インクジェット方式、熱昇華方式等、他のプリント方式のいずれかを適用することができる。
【００４２】
通信部１８０は、外部装置４０が接続されたネットワーク５０に接続するための通信インターフェースであり、外部装置４０と画像形成装置１０との間で送受信されるデータの管理及び制御を行う。
【００４３】
端末装置２０は、携帯電話、ＰＤＡ（Personal Digital Assistant）やスマートフォン等の携帯情報端末、タブレットＰＣ（Tablet PC）等のユーザ３０が携帯可能な装置である。端末装置２０は、制御部２００、記憶部２１０、操作表示制御部２２０、操作表示部２３０、人体通信制御部２４０、人体通信部２５０等を備え、各部は制御部２００によって統括的に制御されている。
【００４４】
制御部２００は、ＣＰＵ、ＲＯＭ、ＲＡＭ等から構成され、ＲＯＭ又は記憶部２１０に格納されているシステムプログラム及び各種アプリケーションプログラム、各種データの中から指定されたプログラムやデータを読み出してＲＡＭに展開し、ＲＡＭに展開されたプログラムとの協働で、各種処理を実行し、端末装置２０の各部を集中制御する。
【００４５】
また、制御部２００は、記憶部２１０から本実施の形態に係る人体通信処理プログラム当該プログラム及び各種データとの協働により、人体通信処理を実行する。
人体通信処理では、人体通信部２５０を介して画像形成装置１０とのデータの送受信が行なわれる。
【００４６】
記憶部２１０は、ＨＤＤ（Hard Disk Drive）等の書き込み可能な不揮発性の記憶媒体で構成されている。記憶部２１０は、各種処理プログラム及び各種データの他、本実施の形態に係る人体通信処理プログラム、当該人体通信処理の実行に用いられるデータ等を記憶している。
【００４７】
操作表示制御部２２０は、制御部２００からの指示に従って、操作表示部２３０の動作を統括的に制御する。例えば、制御部２００から入力される表示信号に従って、各種設定条件を入力するための各種設定画面や各種処理結果等を表示部２３１に表示したり、ユーザが操作部２３２を操作することにより受け付けられる操作指示の信号を制御部２００に出力したりする。
【００４８】
操作表示部２３０は、ＬＣＤ（Liquid Crystal Display）等の表示部２３１、当該表示部２３１を覆うように設けられたタッチパネルや各種操作キー等から構成される操作部２３２等から構成されている。
【００４９】
人体通信制御部２４０は、制御部２００からの指示に従って、人体通信部２５０の動作を制御する。
【００５０】
人体通信部２５０は、人体通信制御部２４０により制御され、ユーザ３０の人体を通信媒体として用いて画像形成装置１０と人体通信を行う。
人体通信部２５０における通信方式は、画像形成装置１０が備える人体通信部１５４と同様の通信方式である。人体通信部２５０は、通信媒体である人体に電界（電波）を伝搬させるため又は電流を伝送するための電極を備えており、当該電極は、端末装置２０を操作するユーザに接する位置に設けられている。
【００５１】
次に、本実施の形態の動作を説明する。
まず、画像形成装置１０が実行するプリント処理について説明する。
図３に、画像形成装置１０がプリント処理を実行する際の端末装置２０が実行する人体通信処理のフローチャートを示し、図４に、画像形成装置１０が実行するプリント処理のフローチャートを示す。
【００５２】
図３を参照して、画像形成装置１０がプリント処理を実行する際の端末装置２０が実行する人体通信処理について説明する。図３に示す人体通信処理は、端末装置２０の制御部２００と各部とが協働して実行される。
【００５３】
制御部２００は、ユーザ３０による操作部２３２の操作指示に応じて、記憶部２１０に記憶されている１又は複数の印刷データのリストを表示部２３１に表示させ、当該１又は複数の印刷データのうちいずれかの印刷データの選択指示を操作部２３２により受け付ける（ステップＳ１）。ユーザ３０は、印刷データの選択を行うと、画像形成装置１０の人体通信スイッチ１５３ａ又は１５３ｂを押下する。
【００５４】
制御部２００は、人体通信部２５０により画像形成装置１０と通信が確立しているか否かを判別する（ステップＳ２）。画像形成装置１０と通信が確立していない場合（ステップＳ２；ＮＯ）、制御部２００は、ステップＳ２に戻り、画像形成装置１０と通信が確立するまで待機する。
【００５５】
画像形成装置１０と通信が確立している場合（ステップＳ２；ＹＥＳ）、制御部２００は、ステップＳ１において選択された印刷データを人体通信部２５０を介して画像形成装置１０へ送信し（ステップＳ３）、選択された印刷データ全ての送信が完了したか否かを判別する（ステップＳ４）。
【００５６】
選択された印刷データ全ての送信が未完了である場合（ステップＳ４；ＮＯ）、制御部２００は、ステップＳ２の処理に戻る。選択された印刷データ全ての送信が完了した場合（ステップＳ４；ＹＥＳ）、制御部２００は、本人体通信処理を終了する。
【００５７】
図４を参照して、画像形成装置１０が実行するプリント処理について説明する。図４に示すプリント処理は、画像形成装置１０内の制御部１００と各部とが協働して実行される。
【００５８】
制御部１００は、通信部１８０により印刷データを受信したか否かを判別する（ステップＳ１１）。通信部１８０により印刷データを受信した場合（ステップＳ１１；ＹＥＳ）、制御部１００は、受信した印刷データの解析を行う（ステップＳ１２）。
なお、通信部１８０により受信する印刷データの伝送単位は、ページ単位とする。
【００５９】
制御部１００は、受信した印刷データに対してページ単位で描画処理部１２０による描画処理を施させ（ステップＳ１３）、描画処理済みの印刷データに基づいて、ページ単位でプリンタ部１７１による画像形成処理を実行させる（ステップＳ１４）。
【００６０】
制御部１００は、ステップＳ２での解析処理により、受信した印刷データを含む一連のジョブを構成する全ページの印刷データの受信が完了し、かつ、当該全ページの印刷データの画像形成処理が完了したか否かを判別する（ステップＳ１５）。
【００６１】
全ページの印刷データの画像形成処理が完了していない場合（ステップＳ１５；ＮＯ）、制御部１００は、ステップＳ１の処理に戻り、残りのページの印刷データの受信を待機する。全ページの印刷データの画像形成処理が完了した場合（ステップＳ１５；ＹＥＳ）、制御部１００は、本プリント処理を終了する。
【００６２】
一方、通信部１８０により印刷データを受信していない場合（ステップＳ１１；ＮＯ）、制御部１００は、人体通信スイッチ１５３ａ、１５３ｂのうち少なくともいずれか一方が押下状態（人体通信スイッチがＯＮ）か否かを判別する（ステップＳ１６）。人体通信スイッチがＯＮでない場合（ステップＳ１６；ＮＯ）、制御部１００は、ステップＳ１１の処理に戻る。
【００６３】
人体通信スイッチがＯＮの場合（ステップＳ１６；ＹＥＳ）、制御部１００は、人体通信部１５４を介して端末装置２０と通信が確立しているか否かを判別する（ステップＳ１７）。端末装置２０と通信が確立していない場合（ステップＳ１７；ＮＯ）、制御部１００は、ステップＳ１１の処理に戻る。
【００６４】
端末装置２０と通信が確立している場合（ステップＳ１７；ＹＥＳ）、制御部１００は、表示部１５１に通信継続指示画面を表示させる（ステップＳ１８）。
通信継続指示画面には、「通信中です。人体通信スイッチにタッチし続けてください。」等の人体通信を継続するために、ユーザに対して人体通信スイッチの押下状態を維持させるための指示に関する情報が表示される。
【００６５】
また、制御部１００は、人体通信部１５４による印刷データの受信を開始し（ステップＳ１９）、印刷データの受信に関する通信エラー確認処理を実行する（ステップＳ２０）。なお、人体通信部１５４により受信する印刷データは、予め設定された伝送単位（例えば、パケット）で送信されるものとする。
【００６６】
通信エラー確認処理後（ステップＳ２０後）、制御部１００は、通信エラー確認処理がエラー終了か否かを判別する（ステップＳ２１）。エラー終了の場合（ステップＳ２１；ＹＥＳ）、制御部１００は、本プリント処理を終了する。
【００６７】
エラー終了ではない場合（ステップＳ２１；ＮＯ）、制御部１００は、受信した印刷データの解析を行ない（ステップＳ２２）、印刷データの終端を検出したか否か、即ち、受信した印刷データを含む一連のジョブを構成する全ページの印刷データを受信したか否かを判別する（ステップＳ２３）。
【００６８】
印刷データの終端を検出していない場合（ステップＳ２３；ＮＯ）、制御部１００は、印刷データの受信が未完了であると判断し、ステップＳ１の処理に戻る。受信した印刷データの終端を検出した場合（ステップＳ２３；ＹＥＳ）、制御部１００は、印刷データの受信が完了したと判断し、表示部１５１に表示している通信継続指示画面を消去する（ステップＳ２４）。
【００６９】
制御部１００は、受信した印刷データ全てに対して描画処理部１２０による描画処理を施させ（ステップＳ２５）、描画処理済みの印刷データに基づいてプリンタ部１７１による画像形成処理を実行させ（ステップＳ２６）、本プリント処理を終了する。
【００７０】
図５に、ステップＳ２０において実行される通信エラー確認処理のフローチャートを示す。通信エラー確認処理は、受信又は送信するデータの伝送単位で実行される。
【００７１】
制御部１００は、人体通信部１５４を介して端末装置２０とのデータ通信が実行されると（ステップＳ３１）、通信エラーが発生したか否かを検出する（ステップＳ３２）。通信エラーとは、例えば、データの受信又は送信の開始より所定時間が経過した場合（タイムアウト）、パリティエラー等である。
【００７２】
通信エラーが発生していない場合（ステップＳ３２；ＮＯ）、制御部１００は、本通信エラー確認処理を終了する。通信エラーが発生した場合（ステップＳ３２；ＹＥＳ）、制御部１００は、表示部１５１に再接続依頼画面を表示させる（ステップＳ３３）。
【００７３】
再接続依頼画面には、「通信エラーが発生したことを示す情報」と、「人体通信部による通信を再確立するために必要な指示に関する情報」とが表示される。
「通信エラーが発生したことを示す情報」としては、例えば、「通信できませんでした。」等の情報である。「人体通信部による通信を再確立するために必要な指示に関する情報」としては、例えば、「再度、人体通信スイッチにタッチしてください。」等の人体通信を再接続するために、ユーザに対して、人体通信スイッチを再度押下させる指示に関する情報である。
再接続依頼画面を表示する表示部１５１は、エラー表示部及び再確立表示部としての機能を実現する。
【００７４】
制御部１００は、端末装置２０との人体通信部１５４によるデータ通信をリトライ（再実行）し（ステップＳ３４）、通信エラーが発生したか否かを判別する（ステップＳ３５）。通信エラーが発生していない場合（ステップＳ３５；ＮＯ）、制御部１００は、表示部１５１に表示している再接続依頼画面を消去し（ステップＳ３６）、通信エラーが発生する前の状態から継続して通信を実行させ、本通信エラー確認処理を終了する。
【００７５】
通信エラーが発生した場合（ステップＳ３５；ＹＥＳ）、制御部１００は、リトライ回数Ｎをインクリメント（Ｎ＝Ｎ＋１）し（ステップＳ３７）、リトライ回数Ｎが予め設定された設定回数Ｍよりも大きいか否かを判別する（ステップＳ３８）。
なお、リトライ回数Ｎは、本通信エラー確認処理が終了する度にリセットされる。
【００７６】
リトライ回数Ｎが設定回数Ｍ以下の場合（ステップＳ３８；ＮＯ）、制御部１００は、ステップＳ３４の処理に戻る。リトライ回数Ｎが設定回数Ｍよりも大きい場合（ステップＳ３８；ＹＥＳ）、制御部１００は、実行中のデータ通信の処理を取り消す「エラー終了」を行い（ステップＳ３９）、本通信エラー確認処理を終了する。
【００７７】
次に、画像形成装置１０が実行する選択プリント処理について説明する。
図６に、画像形成装置１０が選択プリント処理を実行する際の端末装置２０が実行する人体通信処理のフローチャートを示し、図７、図８に、画像形成装置１０が実行する選択プリント処理のフローチャートを示す。
【００７８】
図６を参照して、画像形成装置１０が選択プリント処理を実行する際の端末装置２０が実行する人体通信処理について説明する。図６に示す人体通信処理は、端末装置２０の制御部２００と各部とが協働して実行される。
【００７９】
ユーザ３０が画像形成装置１０の人体通信スイッチを押下すると、制御部２００は、人体通信部２５０により画像形成装置１０と通信が確立しているか否かを判別する（ステップＳ４１）。画像形成装置１０と通信が確立していない場合（ステップＳ４１；ＮＯ）、制御部２００は、ステップＳ４１に戻り、画像形成装置１０と通信が確立するまで待機する。
【００８０】
画像形成装置１０と通信が確立している場合（ステップＳ４１；ＹＥＳ）、制御部２００は、人体通信部２５０を介して画像形成装置１０から印刷データリストの送信要求があるか否かを判別する（ステップＳ４２）。
【００８１】
印刷データリストの送信要求がある場合（ステップＳ４２；ＹＥＳ）、制御部２００は、記憶部２１０内に記憶されている１又は複数の印刷データのリスト（印刷データリスト）を人体通信部２５０を介して画像形成装置１０へ送信し（ステップＳ４３）、印刷データリストの送信が完了したか否かを判別する（ステップＳ４４）。
【００８２】
印刷データリストの送信が未完了である場合（ステップＳ４４；ＮＯ）、制御部２００は、ステップＳ４１の処理に戻る。印刷データリストの送信が完了した場合（ステップＳ４４；ＹＥＳ）、制御部２００は、本人体通信処理を終了する。
【００８３】
印刷データリストの送信要求がない場合（ステップＳ４２；ＮＯ）、制御部２００は、人体通信部２５０を介して印刷データの送信要求があるか否かを判別する（ステップＳ４５）。印刷データの送信要求がない場合（ステップＳ４５；ＮＯ）、制御部２００は、ステップＳ４１の処理に戻る。
【００８４】
印刷データの送信要求がある場合（ステップＳ４５；ＹＥＳ）、制御部２００は、送信要求された印刷データを人体通信部２５０を介して画像形成装置１０へ送信し（ステップＳ４６）、送信要求された印刷データ全ての送信が完了したか否かを判別する（ステップＳ４７）。
【００８５】
送信要求された印刷データ全ての送信が未完了である場合（ステップＳ４７；ＮＯ）、制御部２００は、ステップＳ４１の処理に戻る。送信要求された印刷データ全ての送信が完了した場合（ステップＳ４７；ＹＥＳ）、制御部２００は、本人体通信処理を終了する。
【００８６】
図７、図８を参照して、画像形成装置１０が実行する選択プリント処理について説明する。図７、図８に示す選択プリント処理は、画像形成装置１０内の制御部１００と各部とが協働して実行される。
【００８７】
ステップＳ５１〜Ｓ５８の処理は、図４に示すステップＳ１１〜Ｓ１８の処理と同様であるため、説明は省略する。
【００８８】
制御部１００は、ユーザ３０による操作部１５２の操作指示に応じて、端末装置２０に記憶されている印刷データのリスト（印刷データリスト）の送信を人体通信部１５４を介して端末装置２０へ要求し（ステップＳ５９）、要求した印刷データリストの受信に関する通信エラー確認処理を実行する（ステップＳ６０）。なお、ステップＳ６０において実行される通信エラー確認処理は、図４のステップＳ２０おいて実行される通信エラー処理（図５参照）と同様であるため、図示及び説明は省略する。
【００８９】
通信エラー確認処理後（ステップＳ６０後）、制御部１００は、通信エラー確認処理がエラー終了か否かを判別する（ステップＳ６１）。エラー終了の場合（ステップＳ６１；ＹＥＳ）、制御部１００は、本選択プリント処理を終了する。
【００９０】
エラー終了ではない場合（ステップＳ６１；ＮＯ）、制御部１００は、印刷データリストの終端を検出したか否か、即ち、要求した印刷データリストの受信が完了したか否かを判別する（ステップＳ６２）。
【００９１】
印刷データリストの受信が未完了である場合（ステップＳ６２；ＮＯ）、制御部１００は、ステップＳ５１の処理に戻る。印刷データリストの受信が完了した場合（ステップＳ６２；ＹＥＳ）、制御部１００は、表示部１５１に表示している通信継続指示画面を消去する（ステップＳ６３）。
【００９２】
制御部１００は、受信した印刷データリストを示す画面（データリスト画面）を表示部１５１に表示させ（ステップＳ６４）、表示されている１又は複数の印刷データのうちいずれかの印刷データの選択指示を操作部１５２により受け付ける（ステップＳ６５）。
【００９３】
制御部１００は、操作部１５２により印刷データの選択指示を受け付けると、表示部１５１に通信開始指示画面を表示させる（ステップＳ６６）。
通信開始指示画面には、「通信を開始します。人体通信スイッチにタッチしてください。」等の人体通信を開始するために、ユーザに対して人体通信スイッチを押下させる指示に関する情報が表示される。
【００９４】
ステップＳ６７〜Ｓ６９は、ステップＳ１６〜Ｓ１８と同様であるため、説明は省略する。
【００９５】
制御部１００は、ステップＳ６５において選択された印刷データの送信を人体通信部１５４を介して端末装置２０へ要求し（ステップＳ７０）、要求した印刷データの受信に関する通信エラー確認処理を実行する（ステップＳ７１）。なお、ステップＳ７１において実行される通信エラー確認処理は、図４のステップＳ２０おいて実行される通信エラー処理（図５参照）と同様であるため、図示及び説明は省略する。
【００９６】
通信エラー確認処理後（ステップＳ７１後）、制御部１００は、通信エラー確認処理がエラー終了か否かを判別する（ステップＳ７２）。エラー終了の場合（ステップＳ７２；ＹＥＳ）、制御部１００は、本選択プリント処理を終了する。
【００９７】
エラー終了ではない場合（ステップＳ７２；ＮＯ）、制御部１００は、印刷データの終端を検出したか否か、即ち、要求した印刷データの受信が完了したか否かを判別する（ステップＳ７３）。
【００９８】
要求した印刷データの終端を検出していない場合（ステップＳ７３；ＮＯ）、制御部１００は、要求した印刷データの受信が未完了であると判断し、ステップＳ６７の処理に戻る。要求した印刷データの終端を検出した場合（ステップＳ７３；ＹＥＳ）、制御部１００は、要求した印刷データの受信が完了したと判断し、表示部１５１に表示している通信継続指示画面を消去する（ステップＳ７４）。
【００９９】
制御部１００は、受信した印刷データ全てに対して描画処理部１２０による描画処理を施させ（ステップＳ７５）、描画処理済みの印刷データに基づいてプリンタ部１７１による画像形成処理を実行させ（ステップＳ７６）、本選択プリント処理を終了する。
【０１００】
次に、画像形成装置１０が実行する人体通信画像送信処理について説明する。
図９に、画像形成装置１０が実行する画像読取処理のフローチャートを示し、図１０に、画像形成装置１０が人体通信画像送信処理を実行する際の端末装置２０が実行する人体通信処理のフローチャートを示し、図１１に、画像形成装置１０が実行する人体通信画像送信処理のフローチャートを示す。
【０１０１】
図９を参照して、画像形成装置１０が実行する画像読取処理を説明する。図９に示す画像読取理は、画像形成装置１０の制御部１００と各部とが協働して実行される。
【０１０２】
ユーザ３０が原稿をスキャナ部１６１のＡＤＦにセットすると、制御部１００は、ＡＤＦに原稿がセットされたことを検知する（ステップＳ８１）。
【０１０３】
制御部１００は、ユーザ３０による操作部１５２の操作指示に応じて、スキャナモードの選択指示を操作部２３２により受け付け（ステップＳ８２）、画像を読み取る際の各種条件（解像度、色、データ形式、ファイル名等）の設定指示を操作部２３２により受け付ける（ステップＳ８３）。
なお、ステップＳ８３は、予め設定された初期条件で画像を読み取る際には必須ではない。
【０１０４】
ユーザ３０によって画像読取開始の操作指示が操作部２３２により受け付けられると（ステップＳ８４）、制御部１００は、ステップＳ８３において設定された各種条件に基づいて、スキャナ部１６１による原稿の画像の読み取り処理を開始させる（ステップＳ８５）。スキャナ部１６１は、原稿の画像を読み取り、当該画像の画像データを生成する。
【０１０５】
制御部１００は、スキャナ部１６１が原稿から読み取って生成した画像データを、記憶部１１０に保存させ（ステップＳ８６）、本画像読取処理を終了する。
このように、人体通信画像送信処理が実行される前には、画像読取処理の実行により、スキャナ部１６１により読み取られた１又は複数の画像データが画像形成装置１０の記憶部１１０に保存されているものとする。
【０１０６】
図１０を参照して、画像形成装置１０が人体通信画像送信処理を実行する際の端末装置２０が実行する人体通信処理について説明する。図１０に示す人体通信処理は、端末装置２０の制御部２００と各部とが協働して実行される。
【０１０７】
ユーザ３０が画像形成装置１０の人体通信スイッチを押下すると、制御部２００は、人体通信部２５０により画像形成装置１０と通信が確立しているか否かを判別する（ステップＳ９１）。画像形成装置１０と通信が確立していない場合（ステップＳ９１；ＮＯ）、制御部２００は、ステップＳ９１に戻り、画像形成装置１０と通信が確立するまで待機する。
【０１０８】
画像形成装置１０と通信が確立している場合（ステップＳ９１；ＹＥＳ）、制御部２００は、ユーザ３０による操作部２３２の操作指示に応じて、画像形成装置１０に記憶されている画像データのリスト（画像データリスト）の送信を人体通信部２５０を介して画像形成装置１０へ要求する（ステップＳ９２）。
【０１０９】
制御部２００は、要求した画像データリストを人体通信部２５０を介して受信すると（ステップＳ９３）、受信した画像データリストを示す画面（画像データリスト画面）を表示部２３１に表示させる（ステップＳ９４）。
【０１１０】
制御部２００は、画像データリスト画面に表示されている１又は複数の画像データのうちいずれかの画像データの選択指示を操作部２３２により受け付け（ステップＳ９５）、ステップＳ９５において選択された画像データの送信を人体通信部２５０を介して画像形成装置１０へ要求する（ステップＳ９６）。
【０１１１】
制御部２００は、要求した画像データを人体通信部２５０を介して受信すると（ステップＳ９７）、受信した画像データを記憶部２１０に保存し（ステップＳ９８）、本人体通信処理を終了する。
【０１１２】
図１１を参照して、画像形成装置１０が実行する人体通信画像送信処理について説明する。図１１に示す人体通信画像送信処理は、画像形成装置１０内の制御部１００と各部とが協働して実行される。
【０１１３】
ステップＳ１０１〜Ｓ１０３の処理は、図４に示すステップＳ１６〜Ｓ１８の処理と同様であるため、説明は省略する。
【０１１４】
制御部１００は、人体通信部１５４を介して端末装置２０から画像データリストの送信要求があるか否かを判別する（ステップＳ１０４）。
【０１１５】
画像データリストの送信要求がある場合（ステップＳ１０４；ＹＥＳ）、制御部１００は、画像データリストを人体通信部１５４を介して端末装置２０へ送信する（ステップＳ１０５）。
【０１１６】
画像データリストの送信要求がない場合（ステップＳ１０４；ＮＯ）、制御部１００は、画像データの送信要求があるか否かを判別する（ステップＳ１０６）。画像データの送信要求がない場合（ステップＳ１０６；ＮＯ）、制御部１００は、ステップＳ１０１の処理に戻る。
【０１１７】
画像データの送信要求がある場合（ステップＳ１０６；ＹＥＳ）、制御部１００は、送信要求された画像データを人体通信部１５４を介して端末装置２０へ送信する（ステップＳ１０７）。
【０１１８】
制御部１００は、ステップＳ１０５後には、画像データリストの送信に関する通信エラー確認処理を実行し、ステップＳ１０７後には、画像データの送信に関する通信エラー確認処理を実行する（ステップＳ１０８）。なお、ステップＳ１０８において実行される通信エラー確認処理は、図４のステップＳ２０おいて実行される通信エラー処理（図５参照）と同様であるため、図示及び説明は省略する。
【０１１９】
通信エラー確認処理後（ステップＳ１０８後）、制御部１００は、通信エラー確認処理がエラー終了か否かを判別する（ステップＳ１０９）。エラー終了の場合（ステップＳ１０９；ＹＥＳ）、制御部１００は、本人体通信画像送信処理を終了する。
【０１２０】
エラー終了ではない場合（ステップＳ１０９；ＮＯ）、制御部１００は、端末装置２０から要求されたデータの送信が完了したか否かを判別する（ステップＳ１１０）。
ステップＳ１１０では、画像データリストを送信していた場合には、画像データリストの送信が完了したか否か、画像データを送信していた場合には、画像データの送信が完了したか否かが判別される。
【０１２１】
要求されたデータの送信が完了していない場合（ステップＳ１１０；ＮＯ）、制御部１００は、ステップＳ１０１の処理に戻る。要求されたデータの送信が完了した場合（ステップＳ１１０；ＹＥＳ）、制御部１００は、表示部１５１に表示している通信継続指示画面を消去し（ステップＳ１１１）、本人体通信画像送信処理を終了する。
【０１２２】
以上のように、本実施の形態によれば、画像形成装置１０は、人体を介して通信を行う人体通信部１５４により端末装置２０から画像データを含む印刷データを取得して画像を形成させることができる。また、画像形成装置１０は、原稿を読み取って取得した画像データを人体通信部１５４により端末装置２０へ送信することができる。
従って、画像データを送受信するために、端末装置２０と通信接続するためのケーブル接続や無線接続設定等の煩雑な作業が不要となり、また、画像データの漏洩を防止できセキュリティ性を高めることができる。
【０１２３】
また、画像形成装置１０は、人体通信部１５４により印刷データを取得した場合には、印刷データ全ての受信を完了した後に印刷データに対して描画処理を施すことができる。そのため、人体通信処理を実行する際の制御部１００の負荷と、描画処理を実行する際の制御部の負荷と、を分散させることができ、人体通信処理に要する時間を短縮することができる。
【０１２４】
また、画像形成装置１０は、人体通信部１５４による通信中の通信エラーの発生を検出することができ、通信エラーが発生した場合には、端末装置２０との通信を再確立して通信を継続することができる。そのため、通信エラーが発生したときに、ユーザが通信の再確立を行う手間を省くことができる。
【０１２５】
また、画像形成装置１０は、表示部１５１に再接続依頼画面を表示することにより、通信エラーが発生したことを示す情報を表示して、通信エラーが発生したことをユーザに報知することができる。
【０１２６】
また、画像形成装置１０は、表示部１５１に再接続依頼画面を表示することにより、人体通信部１５４による通信を再確立するために必要な指示に関する情報を表示することができる。そのため、ユーザは、表示された情報に従って通信を再確立することができ、再確立する際の操作手順の負担を軽減させることができる。
【０１２７】
また、ユーザの人体を介して通信を行う電極を、ユーザに対して対向する位置に設けられた操作パネル１５０ａとユーザとを結ぶ方向と直交する方向（例えば、図２（ａ）、（ｂ）のＸ方向）における操作パネルの両端部の位置に配置することにより、ユーザが右利きでも左利きでも、操作パネル１５０ａを行う手と人体通信を行うために電極に接する手とをユーザが自由に選択でき、人体通信に関する操作性を向上させることができる。
【０１２８】
更に、押しボタンスイッチの一部を構成し、当該押しボタンスイッチが押下された状態のときにユーザと接する状態となる電極を備えた人体通信スイッチ（例えば、図２（ｂ）に示す人体通信スイッチ１５３ａ、１５３ｂ）を用いて人体通信を行うことができる。
そのため、ユーザが押しボタンスイッチを押下した場合に人体通信が開始されることとなり、ユーザの意図としない人体通信が開始するということを防止できる。
【０１２９】
また、本発明は、上記実施の形態の内容に限定されるものではなく、本発明の主旨を逸脱しない範囲で適宜変更可能である。
【符号の説明】
【０１３０】
１  画像形成システム
１０  画像形成装置
２０  端末装置
３０  ユーザ
４０  外部装置
５０  ネットワーク
１００  制御部
１１０  記憶部
１２０  描画処理部
１３０  操作表示制御部
１４０  人体通信制御部
１５０  操作表示部
１５０ａ  操作パネル
１５１  表示部
１５２  操作部
１５２ａ  タッチパネル
１５２ｂ  各種操作キー
１５３  人体通信スイッチ
１５３ａ、１５３ｂ  人体通信スイッチ
１５４  人体通信部
１５４ａ、１５４ｂ  電極
１６０  スキャナ制御部
１６１  スキャナ部
１７０  プリンタ制御部
１７１  プリンタ部
１８０  通信部
２００  制御部
２１０  記憶部
２２０  操作表示制御部
２３０  操作表示部
２３１  表示部
２３２  操作部
２４０  人体通信制御部
２５０  人体通信部
【図１】
2012151775.tif 000003
【図２】
2012151775.tif 000004
【図３】
2012151775.tif 000005
【図４】
2012151775.tif 000006
【図５】
2012151775.tif 000007
【図６】
2012151775.tif 000008
【図７】
2012151775.tif 000009
【図８】
2012151775.tif 000010
【図９】
2012151775.tif 000011
【図１０】
2012151775.tif 000012
【図１１】
2012151775.tif 000013